(57)【特許請求の範囲】
【請求項１】
装置本体に設けられた入金部に紙葉類が投入された場合に、所定の条件を具備する紙葉類を該当する収納部に搬送する一方、出金指令が与えられた場合には、該当する収納部から送出された紙葉類を出金部に搬送して前記装置本体より排出する紙葉類処理装置であって、
前記出金部は、回収指令が与えられた場合に、各収納部に収納された紙葉類を回収するものであり、前記装置本体に着脱可能に設けられていることを特徴とする紙葉類処理装置。
【発明の詳細な説明】
【技術分野】
【０００１】
本発明は、紙葉類処理装置に関し、より詳細には、例えば紙幣釣銭機として適用される紙葉類処理装置に関するものである。
【背景技術】
【０００２】
従来、例えば紙幣釣銭機として適用される紙葉類処理装置においては、装置本体に形成された投入口を通じて入金部に投入された紙幣（紙葉類）を所定の搬送路に搬送させるようにし、搬送路を搬送される紙幣の真偽を鑑別手段にて鑑別している。
【０００３】
この紙葉類処理装置では、上記鑑別手段により「真」と鑑別された紙幣を搬送路から分離させて所定の収納部に収納している。また紙葉類処理装置では、出金指令が与えられた場合には、所定の収納部から送出された紙幣を、上記搬送路を通じて出金部に搬送して装置本体より排出するようにしている（例えば、特許文献１参照）。
【先行技術文献】
【特許文献】
【０００４】
【特許文献１】特開２０１１−６５４１７号公報
【発明の概要】
【発明が解決しようとする課題】
【０００５】
上述した特許文献１には明示されていないが、紙葉類処理装置においては、装置本体に回収部が設けられているのが一般的である。この回収部は、装置本体に対して着脱可能に設けられている。
【０００６】
このような回収部を有する紙葉類処理装置では、回収指令が与えられた場合に、各収納部に収納された紙幣を、上記搬送路を通じて回収部に搬送して該回収部で回収する。このようにして回収部に回収された紙幣は、回収部ごと装置本体から取り外して、所定の金庫等に保管されることになる。
【０００７】
ところで、近年においては紙葉類処理装置の装置全体の小型化の要請がある。しかしながら、上述した紙葉類処理装置では、回収部が入金部や出金部と別個に設けられているので、装置本体の内部には、入金部や出金部、収納部のスペースだけでなく、回収部のスペースも必要とされており、結果的に装置全体の小型化を図ることが困難であった。
【０００８】
本発明は、上記実情に鑑みて、装置全体の小型化を図ることができる紙葉類処理装置を提供することを目的とする。
【課題を解決するための手段】
【０００９】
上記目的を達成するために、本発明に係る紙葉類処理装置は、装置本体に設けられた入金部に紙葉類が投入された場合に、所定の条件を具備する紙葉類を該当する収納部に搬送する一方、出金指令が与えられた場合には、該当する収納部から送出された紙葉類を出金部に搬送して前記装置本体より排出する紙葉類処理装置であって、前記出金部は、回収指令が与えられた場合に、各収納部に収納された紙葉類を回収するものであることを特徴とする。
【００１０】
また本発明は、上記紙葉類処理装置において、前記出金部は、前記装置本体に着脱可能に設けられていることを特徴とする。
【発明の効果】
【００１１】
本発明によれば、出金部が、回収指令が与えられた場合に、各収納部に収納された紙葉類を回収するものであるので、出金部が従来の回収部の機能も有している。これにより、回収部の設置スペースを削減することができ、装置全体の小型化を図ることができるという効果を奏する。
【図面の簡単な説明】
【００１２】
【図１】図１は、図１は、本発明の実施の形態である紙葉類処理装置を模式的に示す説明図である。
【図２】図２は、図１に示した紙葉類処理装置が入金動作を行う場合を説明する説明図である。
【図３】図３は、図１に示した紙葉類処理装置が出金動作を行う場合を説明する説明図である。
【図４】図４は、図１に示した紙葉類処理装置が精査動作を行う場合を説明する説明図である。
【図５】図５は、図１に示した紙葉類処理装置が回収動作を行う場合を説明する説明図である。
【図６】図６は、図１に示した紙葉類処理装置が回収動作を行う場合を説明する説明図である。
【発明を実施するための形態】
【００１３】
以下に添付図面を参照して、本発明に係る紙葉類処理装置の好適な実施の形態について詳細に説明する。
【００１４】
図１は、本発明の実施の形態である紙葉類処理装置を模式的に示す説明図である。ここで例示する紙葉類処理装置は、例えば紙幣釣銭機として適用されるものであり、装置本体１０を備えている。この装置本体１０には、入金庫（入金部）２１、搬送路２２、鑑別部（鑑別手段）２３、判別部２４、収納庫（収納部）２５、精査庫２６及び出金庫（出金部）３０がそれぞれ内部に設けてある。
【００１５】
入金庫２１は、装置本体１０に形成された入金口１１に連通する態様で設けてある。ここで入金口１１は、図には明示しない入金扉により開閉される開口である。この入金庫２１は、入金口１１を通じて自身に投入された紙幣を搬送路２２に繰り出すものである。
【００１６】
搬送路２２は、装置本体１０の内部において前後方向に沿って延在している。この搬送路２２は、図には明示しないが、複数の搬送プーリに張設された左右一対の搬送ベルトにより構成されており、紙幣を前方から後方に向けて搬送するとともに、紙幣を後方から前方に向けて搬送する路である。
【００１７】
鑑別部２３は、搬送路２２の途中に設けてある。この鑑別部２３は、従来公知のものであり、入金部から搬送路２２に繰り出された紙幣の真偽及び金種を鑑別するものである。この鑑別部２３での鑑別結果は、図示せぬ制御部に鑑別信号として与えられる。
【００１８】
判別部２４は、鑑別部２３よりも後方側の搬送路２２の途中に設けてある。この判別部２４は、従来公知のものであり、通過する紙幣の金種及び枚数を判別するものである。この判別部２４での判別結果は、制御部に判別信号として与えられる。
【００１９】
収納庫２５は、判別部２４よりも後方側において金種毎に設けてある。これら収納庫２５は、鑑別部２３の鑑別結果に基づいて、自身に割り付けられた金種の紙幣を収納するものであり、また制御部から与えられる指令に基づいて収納した紙幣を搬送路２２に繰り出すものである。
【００２０】
精査庫２６は、判別部２４よりも前方側に設けてある。この精査庫２６は、後述する精査処理を行う場合に、紙幣を収納するとともに、収納した紙幣を搬送路２２に繰り出すものである。
【００２１】
出金庫３０は、装置本体１０の前方側であって入金庫２１の上方側に着脱可能に設けてある。この出金庫３０は、出金扉３１により開閉される出金口３２を有している。すなわち、出金庫３０は、出金扉３１が装置本体１０の外部に露出する態様で設けてあり、出金扉３１が開くよう揺動することで出金口３２が開放されて出金庫３０の内部が装置本体１０の外部に露出される。このような出金庫３０は、搬送路２２を通じて搬送された紙幣を収容し、出金口３２を通じて収容した紙幣を外部に取り出させるものである。
【００２２】
ところで、出金庫３０は装置本体１０に着脱可能に設けてあると述べたが、図１に示すように装置本体１０に設けてある場合には、専用の入力操作、あるいは図示せぬ取出用鍵を所定の取出用鍵孔（図示せず）に挿入して操作等されない限り、装置本体１０から離脱できないように設けてある。つまり、出金庫３０は、装置本体１０から容易に離脱するようには設けられていない。
【００２３】
そして、出金扉３１は、出金庫３０が装置本体１０に設けられている場合には、制御部からの指令により開閉する態様で揺動する。一方、出金庫３０が装置本体１０から離脱される場合には、出金扉３１は、常時出金口３２を閉塞しており、図示せぬ解除用鍵を所定の解除用鍵孔（図示せず）に挿入して操作等されることにより出金口３２を閉塞する状態が解除されて開くよう揺動することが可能になる。
【００２４】
以上のような構成を有する紙葉類処理装置の動作について説明する。まず、入金動作について説明する。
【００２５】
入金口１１を通じて入金庫２１に紙幣が投入され、かつ利用者により図示せぬ入力手段が入力操作されて入金指令が与えられた場合、紙葉類処理装置は、図２に示すように、搬送プーリ等を駆動させることにより、入金庫２１に投入された紙幣を搬送路２２に繰り出させて搬送させる。搬送路２２を通じて紙幣を搬送させた紙葉類処理装置は、その搬送途中で鑑別部２３を通じて搬送される紙幣の真贋及び金種を鑑別させる。
【００２６】
この鑑別部２３により「真」と鑑別されるとともに金種が鑑別された場合、紙葉類処理装置は、鑑別された紙幣を金種毎に割り付けられた所定の収納庫２５に搬送路２２を通じて搬送して収納させる。
【００２７】
次に、出金動作について説明する。利用者により入力手段が入力操作されて出金指令が与えられた場合、紙葉類処理装置は、図３に示すように、搬送プーリ等を駆動させることにより、所定の収納庫２５に収納された紙幣を搬送路２２に繰り出させて搬送させる。搬送路２２を通じて紙幣を搬送させた紙葉類処理装置は、その搬送途中で判別部２４を通じて搬送される紙幣の金種及び枚数を判別させる。
【００２８】
この判別部２４で金種等が判別された後、紙葉類処理装置は、判別された紙幣を出金庫３０に搬送路２２を通じて搬送させて収納させる。このようにして出金庫３０に所定枚数の紙幣を収納されて出金準備が完了すると、紙葉類処理装置は、制御部を通じて出金扉３１を開くよう揺動させて出金口３２を開放させ、出金庫３０に収納された紙幣を取出可能な状態にして排出させる。
【００２９】
そして、精査動作について説明する。管理者等により管理者用の入力手段（図示せず）が入力操作されて精査指令が与えられた場合、紙葉類処理装置は、図４に示すように、搬送プーリ等を駆動させることにより、所定の収納庫２５に収納された紙幣を搬送路２２に繰り出させて該搬送路２２を通じて前方に向けて搬送させて精査庫２６に収納させる。
【００３０】
このようにして所定の金種の紙幣を精査庫２６に収納させた後、紙葉類処理装置は、搬送プーリ等を駆動させることにより、精査庫２６から搬送路２２に紙幣を繰り出させて後方に向けて搬送させる。そして、紙葉類処理装置は、その搬送途中で判別部２４を通じて搬送される紙幣の金種及び枚数を判別させ、判別させた紙幣を元の収納庫２５に収納させる。これにより、当該収納庫２５に収納された紙幣の枚数を計測する精査を行うことができる。
【００３１】
最後に、回収動作について説明する。管理者等により管理者用の入力手段が入力操作されて回収指令が与えられた場合、紙葉類処理装置は、図５に示すように、搬送プーリ等を駆動させることにより、すべての収納庫２５に収納された紙幣を搬送路２２に繰り出させて該搬送路２２を通じて前方に向けて搬送させて出金庫３０に収納させる。この出金庫３０では、制御部から与えられる指令により出金扉３１が常時出金口３２を閉塞した状態となっており、かかる閉塞した状態を解除するためには解除用鍵を解除用鍵孔に挿入して操作しなければ解除できないようにされている。
【００３２】
このようにしてすべての収納庫２５の紙幣を出金庫３０に収納させた後、紙葉類処理装置は、図６に示すように、取出用鍵を取出用鍵孔に挿入して操作されることにより、出金庫３０が装置本体１０から取り外されることを許容する。このようにして取り外された出金庫３０は、管理者が管理する金庫に保管されることになる。
【００３３】
以上のような構成を有する紙葉類処理装置は、回収指令が与えられた場合に、出金庫３０が各収納庫２５に収納された紙幣を回収するので、出金庫３０が従来の回収庫の機能も有している。これにより、回収庫の設置スペースを削減することができ、装置全体の小型化を図ることができる。
【００３４】
上記紙葉類処理装置によれば、出金庫３０が装置本体１０に対して着脱可能に設けてあるので、各収納庫２５に収納された紙幣を出金庫３０に収納させた後に、該出金庫３０を装置本体１０から離脱させることで所定の金庫等に出金庫３０ごと保管することができ、出金庫３０から紙幣を取り出す必要がなく、セキュリティの向上を図ることができる。
【００３５】
上記紙葉類処理装置によれば、入金庫２１が出金庫３０の下方に配置してあるので、入金庫２１に投入された紙幣を一旦上方に向けて搬送する必要が生じ、入金庫２１と鑑別部２３との距離を十分に確保することができる。その結果、搬送路２２の前後方向の長さを短くすることができ、これによっても装置全体の小型化を図ることができる。
【００３６】
以上、本発明の好適な実施の形態について説明したが、本発明はこれに限定されるものではなく、種々の変更を行うことができる。
【００３７】
上述した実施の形態では、回収動作の場合に、出金扉３１が常時出金口３２を閉塞した状態にしていたが、本発明においては、回収動作においても出金扉が制御部からの指令により出金口を開閉できるようにしてもよい。
【符号の説明】
【００３８】
１０  装置本体
１１  入金口
２１  入金庫
２２  搬送路
２３  鑑別部
２４  判別部
２５  収納庫
２６  精査庫
３０  出金庫
３１  出金扉
３２  出金口
【図１】
0006481590.tif 000002
【図２】
0006481590.tif 000003
【図３】
0006481590.tif 000004
【図４】
0006481590.tif 000005
【図５】
0006481590.tif 000006
【図６】
0006481590.tif 000007